(57)【要約】【課題】認証のために必要なユーザＩＤやパスワードを操作者が記憶する必要がなく、点検内容の設定や点検に伴う警報の解除の設定等を容易に行うことのできる防災受信機を提供すること。【解決手段】防災受信機１は、所定の認証後に操作を受け付ける防災受信機１であって、認証情報を格納しているＩＣタグから認証情報を取得するＩＣタグリーダ１０と、当該防災受信機１が行う処理の内容を含む処理情報を認証情報に対応付けて格納する記録部１１と、取得した認証情報に対応する処理情報を記録部１１から取得し、この処理情報に基づいて処理を行う処理部と、を備える。【選択図】図１
2008217615.tif 000002
【特許請求の範囲】
【請求項１】
所定の認証後に操作を受け付ける防災受信機であって、
認証情報を格納しているＩＣタグから前記認証情報を取得するＩＣタグリーダと、
当該防災受信機が行う処理の内容を含む処理情報を前記認証情報に対応付けて格納する記録手段と、
取得した前記認証情報に対応する前記処理情報を前記記録手段から取得し、この処理情報に基づいて処理を行う処理手段と、
を備えることを特徴とする防災受信機。
【請求項２】
前記処理情報は、前記防災受信機に対する操作権限を前記認証情報に対応付けて特定する認証管理情報、又は、前記防災受信機において実施される点検の内容を前記認証情報に対応付けて特定する点検情報を含むこと、
を特徴とする請求項１に記載の防災受信機。
【請求項３】
前記ＩＣタグに確認情報を記録するＩＣタグライタを備え、
前記ＩＣタグリーダにて前記ＩＣタグの読み取りを行った場合において、前記ＩＣタグライタによって当該ＩＣタグに前記確認情報が記録されている場合は前記処理手段に処理を行わせないこと、
を特徴とする請求項１または２に記載の防災受信機。
【請求項４】
前記確認情報は、前記防災受信機が前記ＩＣタグから前記認証情報を取得した日時を含むアクセス履歴情報、又は、前記防災受信機において実施された点検の結果を示す点検結果情報を含むこと、
を特徴とする請求項３に記載の防災受信機。
【発明の詳細な説明】
【技術分野】
【０００１】
本発明は、所定の認証後に点検内容の設定等の操作を受け付ける防災受信機に関する。
【背景技術】
【０００２】
防災システムを構成している火災報知器や防災受信機の点検を行う場合、点検内容の設定や点検に伴う警報の解除の設定を行うために、防災受信機を操作する必要がある。この様な操作を不特定多数の操作者に認めた場合、誤った操作が行われ、その結果防災受信機の適切な動作が妨げられる可能性がある。そこで、従来の防災受信機においては、防災受信機の操作を認められた特定の操作者であることを確認した後に当該防災受信機に対する操作を認める認証手順が採用されている。具体的には、防災受信機には操作者を特定するためのユーザＩＤやパスワードが設定されており、操作者が当該防災受信機に対して所定の操作によりこれらのユーザＩＤやパスワードを適切に入力した場合にのみ、点検内容（例えば、点検対象となる感知器群や点検項目）の設定、点検に伴う警報の解除の設定、防災システムの感度の設定等の当該防災受信機に対する操作が可能となっている。ユーザＩＤやパスワードの入力方法としては、操作者がタッチパネルに表示された数字キー等の入力手段を操作して入力する方法等が用いられている（例えば、特許文献１参照。）。
【０００３】
【特許文献１】特開２００２−３２４２８５号公報
【発明の開示】
【発明が解決しようとする課題】
【０００４】
しかしながら、タッチパネル等の入力手段を用いて（１）防災受信機に対するユーザＩＤやパスワードの入力を行う場合、あるいは、（２）点検内容の設定等の操作を行う場合、次のような問題があった。
【０００５】
（１）防災受信機に対するユーザＩＤやパスワードの入力を行う場合
防災受信機に入力すべきユーザＩＤやパスワードを操作者が記憶している必要があり、これを忘れてしまった場合には防災受信機の操作ができなくなる場合があった。
（２）点検内容の設定等の操作を行う場合
例えば点検内容の設定を行う場合、点検を行う毎に操作者が入力手段を直接操作して点検内容を設定する必要があったので、点検に要する作業負荷が増大したり、設定の操作を誤って点検をスムーズに行うことができなかったりする場合があった。
【０００６】
本発明は、上記に鑑みてなされたものであって、認証のために必要なユーザＩＤやパスワードを操作者が記憶する必要がなく、点検内容の設定や点検に伴う警報の解除の設定等を容易に行うことのできる防災受信機を提供することを目的とする。
【課題を解決するための手段】
【０００７】
上述した課題を解決し、目的を達成するために、請求項１に記載の防災受信機は、所定の認証後に操作を受け付ける防災受信機であって、認証情報を格納しているＩＣタグから前記認証情報を取得するＩＣタグリーダと、当該防災受信機が行う処理の内容を含む処理情報を前記認証情報に対応付けて格納する記録手段と、取得した前記認証情報に対応する前記処理情報を前記記録手段から取得し、この処理情報に基づいて処理を行う処理手段と、を備えることを特徴とする。
【０００８】
また、請求項２に記載の防災受信機は、請求項１に記載の防災受信機において、前記処理情報は、前記防災受信機に対する操作権限を前記認証情報に対応付けて特定する認証管理情報、又は、前記防災受信機において実施される点検の内容を前記認証情報に対応付けて特定する点検情報を含むこと、を特徴とする。
【０００９】
また、請求項３に記載の防災受信機は、請求項１または２に記載の防災受信機において、前記ＩＣタグに確認情報を記録するＩＣタグライタを備え、前記ＩＣタグリーダにて前記ＩＣタグの読み取りを行った場合において、前記ＩＣタグライタによって当該ＩＣタグに前記確認情報が記録されている場合は前記処理手段に処理を行わせないこと、を特徴とする。
【００１０】
また、請求項４に記載の防災受信機は、請求項３に記載の防災受信機において、前記確認情報は、前記防災受信機が前記ＩＣタグから前記認証情報を取得した日時を含むアクセス履歴情報、又は、前記防災受信機において実施された点検の結果を示す点検結果情報を含むこと、を特徴とする。
【発明の効果】
【００１１】
この発明によれば、防災受信機がＩＣタグリーダを備えているので、ＩＣタグから認証情報を防災受信機に入力させることができる。これにより、認証情報の入力が非常に容易になると同時に、操作者が認証情報を忘れて防災受信機の操作ができなくなることを防止できる。また、記録手段には認証情報に対応付けられた処理情報が格納されており、この処理情報に基づいて処理手段が所定の処理を自動的に行うので、操作者の操作ミスによる不具合や、作業負荷の増大を低減することができる。
【００１２】
また、この発明によれば、認証情報に対応付けられている認証管理情報によって防災受信機に対する操作可能な範囲を管理しているので、操作者の防災受信機に対する操作権限を個別に管理することができる。さらに、点検情報によって、防災受信機に実施させる点検の内容を認証情報に対応付けて管理すると共に、当該点検情報に基づいて防災受信機が自動的に点検処理を実施するので、操作者が点検情報を全て入力する必要がない。従って、作業負荷を大幅に低減でき、操作ミスによる不具合も防止することができる。
【００１３】
また、この発明によれば、防災受信機はＩＣタグライタを備えているので、ＩＣタグライタによってＩＣタグに確認情報を記録することができる。これにより、記録された確認情報が消去されていないＩＣタグに対して処理手段に処理を行わせず、ＩＣタグの不正利用を防止することができる。
【００１４】
また、この発明によれば、確認情報として、防災受信機がＩＣタグから認証情報を取得した日時を含むアクセス履歴情報をＩＣタグに記録させることにより、当該ＩＣタグを媒体としてアクセス履歴情報を容易に管理することができる。また、確認情報に点検結果を示す点検結果情報を含めることにより、点検日時や点検項目のみならず点検結果についても容易に管理することができ、不具合の改修漏れ等も防ぐことができる。
【発明を実施するための最良の形態】
【００１５】
以下に添付図面を参照して、この発明に係る防災受信機の各実施の形態を詳細に説明する。まず、〔Ｉ〕各実施の形態に共通の基本的概念を説明した後、〔II〕各実施の形態の具体的内容について説明し、〔III〕最後に、各実施の形態に対する変形例について説明する。ただし、各実施の形態によって本発明が限定されるものではない。
【００１６】
〔Ｉ〕各実施の形態に共通の基本的概念
まず、各実施の形態に共通の基本的概念について説明する。各実施の形態に係る防災受信機は、防災端末から出力される信号を受信し、火災発生の警報出力等を行うことを目的とするものである。
【００１７】
各実施形態に係る防災受信機の設置対象は任意であり、例えば工場施設やビル等の大規模な建物内や、マンション等の一般住宅に設置できる。
【００１８】
各実施の形態に係る防災受信機の特徴の一つは、概略的に、ＩＣタグリーダを備えていることにある。従って、操作者は、ユーザＩＤ等の認証情報が格納されているＩＣタグを当該ＩＣタグリーダに読み取らせることにより、タッチパネル等の入力手段を操作することなく認証情報を防災受信機に入力することができる。また、防災受信機は、ＩＣタグから取得した認証情報に対応付けて行う処理の内容を処理情報として記録する記録手段と、当該処理情報に基づいて処理を行う処理手段とを有していることにある。従って、所定の処理について、その内容の全てをタッチパネル等の入力手段を操作して入力することなく防災受信機に行わせることができる。
【００１９】
更に、防災受信機は、ＩＣタグに確認情報を記録するＩＣタグライタを備えており、ＩＣタグリーダにて読取を行ったＩＣタグに確認情報が含まれている場合は処理を行わないということにある。従って、確認情報を削除する手段を管理するだけで、ＩＣタグが繰返し不正利用されることを容易に防止できる。
【００２０】
〔II〕各実施の形態の具体的内容
次に、本発明に係る各実施の形態の具体的内容について説明する。
【００２１】
〔実施の形態１〕
まず実施の形態１について説明する。この形態は、ＩＣタグリーダ、記録手段、及び、処理手段を備えた基本的な形態である。
【００２２】
（防災受信機の構成）
まず、防災受信機の構成を説明する。図１は、実施の形態１に係る防災受信機の電気的構成を概念的に示すブロック図である。図１に示すように、防災受信機１は、ＩＣタグリーダ１０、記録部１１、タッチパネル１２、及び、制御部１３を備えている。また、防災受信機１には防災端末９９が接続されている。防災受信機１の操作者は、その操作者に対応付けられた認証情報を格納した図示しないＩＣタグを所持している。
【００２３】
（防災受信機の構成−ＩＣタグリーダ１０）
ＩＣタグリーダ１０は、操作者に対応付けられた認証情報を格納しているＩＣタグからその認証情報を取得するものであり、防災受信機１の任意の位置に搭載されている。ＩＣタグリーダ１０の具体的な構成は任意であるが、非接触で情報の読取を行えることが望ましく、ＲＦＩＤに対応したＩＣタグリーダを用いることが望ましい。
【００２４】
（防災受信機の構成−記録部１１）
記録部１１は、防災受信機１が行う処理の内容を含む処理情報を、認証情報と対応付けて格納するためのものであり、特許請求の範囲における記録手段に対応している。処理情報には、認証管理情報と点検情報とが含まれている。図２は、認証管理情報及び点検情報の内容を示す表である。
【００２５】
図２に示すように、認証管理情報の部分では、個々の認証情報についてそれぞれ防災受信機１に対して操作が可能な項目が対応付けられている。例えば、認証情報が０５０１４５の操作者については、点検実施、警報解除、及び、感度設定変更のいずれも操作が可能である。また、認証情報が１６９１９の操作者については、点検実施の操作のみが可能となっている。
【００２６】
また、点検情報の部分では、個々の認証情報についてそれぞれ防災受信機１に実施させる点検の内容が対応付けられている。例えば、認証情報が０５０１４５の操作者については、電源、受信機、及び、感知器に対する点検が実施される。この時、点検対象となる感知器はＡ、Ｂ、Ｃ、Ｄブロックに設置された感知器である。また、認証情報が３２５３０や３８９２０の操作者については、点検実施の操作が認証されていないため、該当する点検項目や点検対象が存在していない。
【００２７】
（防災受信機の構成−タッチパネル１２）
タッチパネル１２は、防災受信機１の状態や警報メッセージ等を表示するための表示装置であり、防災受信機１に対する所定の入力操作を行わせるための入力装置でもある。タッチパネル１２の具体的な構成については、公知の技術であるので説明は省略する。
【００２８】
（防災受信機の構成−制御部１３）
制御部１３は、防災受信機１における各種の処理を実施するためのものであり、機能概念的には、図１に示すように、認証処理部１３０、点検処理部１３１、タッチパネル制御部１３２、及び、防災制御部１３３を備えている。認証処理部１３０は、ＩＣタグから取得した認証情報に対応する認証管理情報を記録部１１から取得し、この認証管理情報に基づいて認証処理を行うためのものであり、特許請求の範囲における処理手段に対応している。
【００２９】
点検処理部１３１は、ＩＣタグから取得した認証情報に対応する点検情報を記録部１１から取得し、この点検情報に基づいて点検処理を行うためのものであり、特許請求の範囲における処理手段に対応している。
【００３０】
タッチパネル制御部１３２は、タッチパネル１２に表示させる表示画面の制御、及び、タッチパネル１２に対して行われた入力操作の処理を行うためのものである。
【００３１】
防災制御部１３３は、防災端末９９から出力された信号の処理を行うと共に、警報の発報やスプリンクラーの作動など、防災設備の制御を行うためのものである。
【００３２】
制御部１３によって制御される防災受信機１の動作の詳細については後述する。また、この制御部１３の具体的構成は任意であるが、例えば、ＯＳ（Ｏｐｅｒａｔｉｎｇ Ｓｙｓｔｅｍ）などの制御プログラム、各種の処理手順などを規定したプログラム、所要データを格納するための内部メモリ、及び、これらのプログラムを実行するＣＰＵ（Ｃｅｎｔｒａｌ Ｐｒｏｃｅｓｓｉｎｇ Ｕｎｉｔ）を備えて構成される。
【００３３】
（防災受信機の動作）
次に、防災受信機１の動作について説明する。図３は防災受信機１が行う認証処理の流れを示すフローチャート、図４は防災受信機１が行う点検処理の流れを示すフローチャートである。また、図５から図８は、タッチパネル１２に表示される画面の表示例を示す図である。まず、（１）図３に示すフローチャートに従い、防災受信機１が認証処理を行う場合の制御動作の流れを説明し、次に、（２）図４に示すフローチャートに従い、防災受信機１が点検処理を行う場合の制御動作の流れを説明する。
【００３４】
（１）認証処理
図３に示すように、ＩＣタグリーダ１０によってＩＣタグの接触、又は、近接が検出されない間は（ステップＳＡ−１、Ｎｏ）、タッチパネル制御部１３２によってタッチパネル１２に待機画面が表示される（ステップＳＡ−２）。具体的には、図５に示すように、待機画面中にＩＣタグの読取を促す表示がされる。
【００３５】
ＩＣタグリーダ１０によってＩＣタグの接触、又は、近接が検出されると（ステップＳＡ−１、Ｙｅｓ）、ＩＣタグリーダ１０はＩＣタグから認証情報の取得を行う（ステップＳＡ−３）。さらにＩＣタグリーダ１０は取得した認証情報を認証処理部１３０及び点検処理部１３１に出力する。
【００３６】
認証処理部１３０は、入力された認証情報に基づいて記録部１１を参照する（ステップＳＡ−４）。入力された認証情報が記録部１１に格納されていない場合（ステップＳＡ−５、Ｎｏ）、認証処理部１３０は認証不可を示す信号をタッチパネル制御部１３２に出力する（ステップＳＡ−６）。
【００３７】
認証不可を示す信号を入力されたタッチパネル制御部１３２は、図６に示すように、タッチパネル１２に認証不可の表示をさせる（ステップＳＡ−７）、その後、タッチパネル１２に待機画面を表示させる（ステップＳＡ−２）。
【００３８】
一方、入力された認証情報が記録部１１に格納されている場合（ステップＳＡ−５、Ｙｅｓ）、認証処理部１３０は当該認証情報に対応付けられている認証管理情報を取得する（ステップＳＡ−８）。
【００３９】
取得した認証管理情報に基づき、認証処理部１３０は、防災受信機１に対する操作が可能な項目をタッチパネル制御部１３２に出力する（ステップＳＡ−９）。
【００４０】
タッチパネル制御部１３２は、入力された操作可能範囲に基づき、図７に示すように、タッチパネル１２に防災受信機１に対して操作が可能な項目を表示する（ステップＳＡ−１０）。
【００４１】
タッチパネル１２に表示された中から任意の項目を操作者が選択すると（ステップＳＡ−１１、Ｙｅｓ）、選択された項目に基づいた処理が防災受信機１によって行われる（ステップＳＡ−１２）。
【００４２】
（２）点検処理
上述した認証処理の結果、点検処理の実施が可能となり、操作可能項目の中から点検処理が選択されると、点検処理部１３１は記録部１１を参照し、入力された認証情報に対応付けられている点検情報を取得する（ステップＳＢ−１）。
【００４３】
取得した点検情報に基づき、点検処理部１３１は、防災受信機１にて実施する点検の内容をタッチパネル制御部１３２に出力する（ステップＳＢ−２）。
【００４４】
タッチパネル制御部１３２は、入力された点検の内容に基づき、図８に示すように、タッチパネル１２に当該点検の内容を表示する（ステップＳＢ−３）。この際、複数の点検項目を順番に実施するような点検内容である場合には、これらの点検項目をタッチパネル１２に表示する。その上で、全ての項目の点検を順番に実施させるか、又は、任意の点検項目を選択して実施させるかを選択できるように選択ボタンを表示させる。
【００４５】
タッチパネル１２に表示された選択肢の中から、全項目の点検の実施、又は、任意の点検項目を操作者が選択すると（ステップＳＢ−４、Ｙｅｓ）、選択結果に基づいた点検処理が防災受信機１によって行われる（ステップＳＢ−５）。
【００４６】
（実施の形態１の効果）
このように実施の形態１によれば、防災受信機１がＩＣタグリーダ１０を備えているので、ＩＣタグから認証情報を防災受信機１に入力させることができる。これにより、認証情報の入力が非常に容易になると同時に、操作者が認証情報を忘れて防災受信機１の操作ができなくなることを防止できる。また、記録部１１には認証情報に対応付けられた処理情報が格納されており、この処理情報に基づいて認証処理部１３０や点検処理部１３１が所定の処理を自動的に行うので、操作者の操作ミスによる不具合や、作業負荷の増大を低減することができる。
【００４７】
また、認証情報に対応付けられている認証管理情報によって防災受信機１に対する操作可能な範囲を管理しているので、操作者の防災受信機１に対する操作権限を個別に管理することができる。さらに、点検情報によって、防災受信機１に実施させる点検の内容を認証情報に対応付けて管理すると共に、当該点検情報に基づいて防災受信機１が自動的に点検処理を実施するので、操作者が点検情報を全て入力する必要がない。従って、作業負荷を大幅に低減でき、操作ミスによる不具合も防止することができる。
【００４８】
〔実施の形態２〕
次に、実施の形態２について説明する。この形態は、ＩＣタグに確認情報を記録するＩＣタグライタを備えた形態である。
【００４９】
（実施の形態２に係る防災受信機の概要）
本実施の形態２に係る防災受信機１は、盗難される等したＩＣタグが不正に用いられようとした場合に、認証処理部１３０に認証処理を行わせない機能を有している。具体的には、正規に用いられたＩＣタグに対して認証が行われた場合に、当該ＩＣタグに対して確認情報を記録する。確認情報が記録された状態のＩＣタグは、そのままの状態では次回の認証時に認証処理部１３０によって認証されない。すなわち、認証処理部１３０は、ＩＣタグに確認情報が記録されたままの場合、当該ＩＣタグが不正利用されている可能性があると判定し、認証処理を行わない。なお、ＩＣタグを再度利用できる状態とするためには、ＩＣタグから確認情報を消去するための確認情報消去装置を用いることができる。以下、上記の機能を有する防災受信機１の構成について説明する。
【００５０】
（防災受信機の構成）
図９は、実施の形態２に係る防災受信機の電気的構成を概念的に示すブロック図を示している。なお、実施の形態２の構成は、特記する場合を除いて実施の形態１の構成と略同一であり、実施の形態１の構成と略同一の構成についてはこの実施の形態１で用いたのと同一の符号及び／又は名称を必要に応じて付して、その説明を省略する。
【００５１】
（防災受信機の構成−ＩＣタグライタ）
防災受信機１は、ＩＣタグライタ１４を備えている。ＩＣタグライタ１４は、所定の情報をＩＣタグに記録するためのものである。具体的には、ＩＣタグリーダ１０によってＩＣタグから認証情報が取得された後に、ＩＣタグライタ１４は認証処理部１３０から入力された確認情報を当該ＩＣタグに記録する。なお、ＩＣタグライタ１４の具体的な構成は任意であるが、ＩＣタグリーダ１０と一体になるように構成することもできる。この場合、ＩＣタグに格納されている情報をＩＣタグリーダ１０に読み取らせるために当該ＩＣタグをＩＣタグリーダ１０にセットすると、その状態のままでＩＣタグライタ１４によってＩＣタグに対して情報の記録を行うことができる。
【００５２】
（防災受信機の構成−ＩＣタグリーダ１０）
ＩＣタグリーダ１０は、ＩＣタグから認証情報を取得すると同時に、ＩＣタグに確認情報が格納されている場合には当該確認情報も取得し、認証処理部１３０に出力する。
【００５３】
（防災受信機の構成−確認情報の内容）
認証処理部１３０からＩＣタグライタ１４に入力される確認情報の具体的な内容については任意であるが、防災受信機１がＩＣタグから認証情報を取得した日時を含むアクセス履歴情報を確認情報とすることが望ましい。図１０は、アクセス履歴情報の内容を示した表である。図１０に示すように、アクセス履歴情報には、当該アクセス履歴情報を記録する対象であるＩＣタグから認証情報を取得した日時の他、防災受信機１に対して行われた操作の内容や、防災受信機１を特定する情報（シリアル番号等）を含めることができる。
【００５４】
（確認情報消去装置）
次に、確認情報消去装置の構成について説明する。図１１は、確認情報消去装置の電気的構成を概念的に示したブロック図である。確認情報消去装置２は、ＩＣタグに記録されている確認情報を消去するためのものであるが、ＩＣタグから消去した確認情報を確認情報消去装置２に記録させることもできる。特に、アクセス履歴情報を確認情報消去装置２に蓄積することにより、防災受信機１に対するアクセス履歴情報を管理することができるので、点検を実施した日時やその内容を確認することができ、点検漏れ等をチェックすることができる。この場合、確認情報消去装置２は、図１１に示すようにＩＣタグライタ２０、ＩＣタグリーダ２１、制御部２２、記録部２３を備える。ＩＣタグライタ２０は、ＩＣタグに記録されている確認情報を消去するためのものである。ＩＣタグリーダ２１は、ＩＣタグに記録されている確認情報を取得し、制御部２２に出力する。制御部２２は、ＩＣタグリーダ２１及びＩＣタグライタ２０を制御し、ＩＣタグリーダ２１によって確認情報が入力された場合は、この確認情報を記録部２３に出力する。記録部２３は、制御部２２によって入力された確認情報を記録する。
【００５５】
（防災受信機の動作）
次に、確認情報に関する防災受信機１の動作について説明する。図１２は、ＩＣタグにおける確認情報の有無の確認、及び、確認情報の記録の流れを示すフローチャートである。
【００５６】
図１２に示すように、ＩＣタグリーダ１０によってＩＣタグの接触、又は、近接が検出されない間は（ステップＳＣ−１、Ｎｏ）、タッチパネル制御部１３２によってタッチパネル１２に待機画面が表示される（ステップＳＣ−２）。
【００５７】
ＩＣタグリーダ１０によってＩＣタグの接触、又は、近接が検出されると（ステップＳＣ−１、Ｙｅｓ）、ＩＣタグリーダ１０はＩＣタグから認証情報の取得を行う。この時、ＩＣタグに確認情報が格納されている場合は当該確認情報も合わせて取得される（ステップＳＣ−３）。さらにＩＣタグリーダ１０は取得した認証情報を認証処理部１３０及び点検処理部１３１に出力し、確認情報を認証処理部１３０に出力する（ステップＳＣ−４）。
【００５８】
次に、認証処理部１３０は、ＩＣタグリーダ１０から入力された情報に確認情報が含まれているか否かを判定し（ステップＳＣ−５）、確認情報が含まれていない場合（ステップＳＣ−５、Ｎｏ）、ＩＣタグが正規に利用されているものとして、ＩＣタグライタ１４に対して新たに確認情報を出力する（ステップＳＣ−６）。ＩＣタグライタ１４は、入力された確認情報をＩＣタグに記録する（ステップＳＣ−７）。
【００５９】
続いて、認証処理部１３０は、入力された認証情報に基づいて記録部１１を参照し、以後の認証処理を行う（ステップＳＣ−８）。認証処理の詳細については実施の形態１における処理と同様であるので説明は省略する。
【００６０】
一方、ＩＣタグリーダ１０から入力された情報に確認情報が含まれている場合には（ステップＳＣ−５、Ｙｅｓ）、認証処理部１３０はＩＣタグが不正利用されたものと判断し、タッチパネル制御部１３２に対してＩＣタグの不正利用を示す信号を出力する（ステップＳＣ−９）。
【００６１】
タッチパネル制御部１３２は、不正利用の警告、及び、認証処理や点検処理を実施しないメッセージをタッチパネル１２に表示させる（ステップＳＣ−１０）。そして、ＩＣタグリーダ１０が確認情報が格納されていないＩＣタグから認証情報を読み取るまで、認証処理部１３０は処理を停止する（ステップＳＣ−１１）。この場合、点検者は、確認情報消去装置２にＩＣタグを読み取らせることで、ＩＣタグから消去した確認情報を消去させた後で、再び防災受信機１へのアクセスを行う必要がある。
【００６２】
具体的には、点検者が、確認情報消去装置２にＩＣタグを近づけると、ＩＣタグに記憶された確認情報がＩＣタグリーダ２１にて読み取られて記録部２３に蓄積されると共に、ＩＣタグリーダ２１によってＩＣタグの確認情報が消去される。このように確認情報をＩＣタグリーダ２１に読み取らせて確認情報を消去しない限り、同一のＩＣタグを用いた点検を行うことができないので、確認情報を読み取らせることの動機付けを行うことができ、点検結果を一層確実に蓄積できる。
【００６３】
このような動作を経た後、ＩＣタグリーダ１０が確認情報が格納されていないＩＣタグから認証情報を読み取り、認証処理部１３０に当該認証情報が入力されると（ステップＳＣ−１２、Ｙｅｓ）、認証処理部１３０は処理の停止を解除し（ステップＳＣ−１３）、ＩＣタグライタ１４に新たに確認情報を出力し（ステップＳＣ−６）、以後の認証処理を行う。
【００６４】
（実施の形態２の効果）
このように実施の形態２によれば、実施の形態１の基本的効果に加えて、防災受信機１はＩＣタグライタ１４を備えているので、ＩＣタグライタ１４にＩＣタグに対して確認情報を記録させることができる。これにより、記録された確認情報が消去されていないＩＣタグに対して認証処理部１３０に認証処理を行わせず、ＩＣタグの不正利用を防止することができる。
【００６５】
また、確認情報として、防災受信機１がＩＣタグから認証情報を取得した日時、防災受信機１に対して行われた操作の内容、防災受信機１を特定する情報を含むアクセス履歴情報をＩＣタグに記録させることにより、アクセス履歴情報を容易に管理することができる。
【００６６】
〔III〕各実施の形態に対する変形例
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【００６７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６８】
（認証情報と処理情報との対応付けについて）
実施の形態１では、一つのＩＣタグの認証情報に基づいて、認証処理部１３０が認証処理を行い、点検処理部１３１が点検処理を実施すると説明したが、認証処理用のＩＣタグと点検処理用のＩＣタグとを別に設けてもよい。この場合、まず認証処理用のＩＣタグを用いて認証処理部１３０に認証処理を行わせた後、点検処理用のＩＣタグを用いて点検処理部１３１に点検処理を行わせることができる。あるいは、まず点検処理用のＩＣタグを用いて点検項目を指定し、認証が必要な点検項目について認証処理用のＩＣタグによる認証を認証処理部１３０から要求させるようにしてもよい。
【００６９】
（確認情報の内容について）
実施の形態２では、ＩＣタグに記録される確認情報の内容として、ＩＣタグから認証情報を取得した日時の他、防災受信機１に対して行われた操作の内容や、防災受信機１を特定する情報（シリアル番号等）を含めることができると説明したが、更に、点検結果を示す点検結果情報を含めても良い。具体的には、防災受信機１における点検処理が完了した時点で、点検処理部１３１はタッチパネル制御部１３２を制御して、ＩＣタグへの書き込みを行う旨のメッセージを表示させる。この表示を見た操作者がＩＣタグを防災受信機１に近づけると、当該防災受信機１のＩＣタグライタ１４によって点検結果情報を含む確認情報がＩＣタグに記録される。その後、操作者は、このＩＣタグに記録された確認情報を確認情報消去装置２のＩＣタグリーダ２１に読み取らせ、記録部２３に記録させる。このように点検結果情報を含めた確認情報を管理することで、点検日時や点検項目のみならず点検結果についてもＩＣタグを媒体として容易に管理することができるので、不具合の改修漏れ等も防ぐことができる。また、このように確認情報をＩＣタグリーダ２１に読み取らせないと、同一のＩＣタグを用いた次の点検を行うことができないので、確認情報を読み取らせることの動機付けを行うことができ、点検結果を一層確実に蓄積できる。
【産業上の利用可能性】
【００７０】
この発明に係る防災受信機は、所定の認証後に点検内容の設定等の操作を受け付ける防災受信機に適用でき、当該防災受信機における認証情報の入力や設定操作等を容易にすることに有用である。
【図面の簡単な説明】
【００７１】
【図１】本発明の実施の形態１に係る防災受信機の電気的構成を概念的に示すブロック図である。
【図２】認証管理情報及び点検情報の内容を示す図である。
【図３】防災受信機１が行う認証処理の流れを示すフローチャートである。
【図４】防災受信機１が行う点検処理の流れを示すフローチャートである。
【図５】タッチパネルに表示される待機画面の表示例を示す図である。
【図６】タッチパネルに表示される認証不可の表示例を示す図である。
【図７】タッチパネルに表示される操作可能項目の表示例を示す図である。
【図８】タッチパネルに表示される点検内容の表示例を示す図である。
【図９】本発明の実施の形態２に係る防災受信機の電気的構成を概念的に示すブロック図である。
【図１０】アクセス履歴情報の内容を示した図である。
【図１１】確認情報消去装置の電気的構成を概念的に示したブロック図である。
【図１２】ＩＣタグにおける確認情報の有無の確認、及び、確認情報の記録の流れを示すフローチャートである。
【符号の説明】
【００７２】
１  防災受信機
１０  ＩＣタグリーダ
１１  記録部
１２  タッチパネル
１３  制御部
１３０  認証処理部
１３１  点検処理部
１３２  タッチパネル制御部
１３３  防災制御部
１４  ＩＣタグライタ
２  確認情報消去装置
２０  ＩＣタグライタ
２１  ＩＣタグリーダ
２２  制御部
２３  記録部
９９  防災端末
【図１】
2008217615.tif 000003
【図２】
2008217615.tif 000004
【図３】
2008217615.tif 000005
【図４】
2008217615.tif 000006
【図５】
2008217615.tif 000007
【図６】
2008217615.tif 000008
【図７】
2008217615.tif 000009
【図８】
2008217615.tif 000010
【図９】
2008217615.tif 000011
【図１０】
2008217615.tif 000012
【図１１】
2008217615.tif 000013
【図１２】
2008217615.tif 000014